【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
画像情報に基づいて記録媒体に形成された画像の情報を検出する検出手段と、
前記検出手段に検出された画像の情報と前記検出された画像の情報の元となる前記画像情報とに基づいて前記記録媒体に形成された画像を検査する画像検査手段と、
前記画像検査手段による前記画像の検査における検査条件を前記記録媒体の種類情報に応じて変更する検査条件変更手段とを備えることを特徴とする画像検査装置。
【請求項２】
前記検出手段は、前記記録媒体に形成された画像の乱反射光及び正反射光の少なくとも１つを用いて前記画像の情報を検出することを特徴とする請求項１記載の画像検査装置。
【請求項３】
前記検査条件は、検査内容、検査対象、及び検査レベルの少なくとも１つを含み、前記検査条件変更手段は前記検査内容、検査対象、及び検査レベルの少なくとも１つを変更することを特徴とする請求項１又は２記載の画像検査装置。
【請求項４】
前記検査条件は、検査内容、検査対象、及び検査レベルの少なくとも１つを含み、前記画像検査装置は、前記検査条件を設定するための検査条件設定手段と、前記記録媒体の種類情報を設定するための記録媒体情報入力手段とを備え、前記検査条件変更手段は前記検査条件を前記記録媒体情報入力手段の設定及び前記検査条件設定手段の設定の少なくとも一方に応じて変更することを特徴とする請求項１乃至３のいずれか１項に記載の画像検査装置。
【請求項５】
前記画像検査装置は外部装置に接続され、前記記録媒体情報入力手段及び前記検査条件設定手段は前記外部装置から設定できることを特徴とする請求項４記載の画像検査装置。
【請求項６】
前記検査条件設定手段は、前記記録媒体の種類情報に応じて、前記検査内容、前記検査対象、及び前記検査レベルの少なくとも１つを自動的に設定することを特徴とする請求項４又は５記載の画像検査装置。
【請求項７】
前記記録媒体情報入力手段は、前記記録媒体の種類情報として前記記録媒体の紙種名称、坪量、及び表面特性の少なくとも１つを、ユーザの操作に応じて入力することを特徴とする請求項４乃至６のいずれか１項に記載の画像検査装置。
【請求項８】
前記記録媒体情報入力手段は、前記記録媒体の紙種名称、坪量、及び表面特性の少なくとも１つを検知して前記記録媒体の種類情報として設定することを特徴とする請求項４乃至６のいずれか１項に記載の画像検査装置。
【請求項９】
画像データを入力する画像データ入力手段と、
記録媒体の種類情報を入力する記録媒体情報入力手段と、
前記入力された画像データの画像を前記記録媒体に形成する画像形成手段と、
前記記録媒体に形成された画像の情報を検出する検出手段と、
前記検出手段に検出された画像の情報と前記入力された画像データとに基づいて前記記録媒体に形成された画像を検査する画像検査手段と、
該画像検査手段による前記画像の検査における検査条件を前記入力された記録媒体の種類情報に応じて変更する検査条件変更手段とを備えることを特徴とする画像形成装置。
【請求項１０】
前記検出手段は、前記記録媒体に形成された画像の乱反射光及び正反射光の少なくとも１つを用いて前記画像の情報を検出することを特徴とする請求項９記載の画像形成装置。
【請求項１１】
前記検査条件は、検査内容、検査対象、及び検査レベルの少なくとも１つを含み、前記検査条件変更手段は前記検査内容、検査対象、及び検査レベルの少なくとも１つを変更することを特徴とする請求項９又は１０記載の画像形成装置。
【請求項１２】
前記検査条件は、検査内容、検査対象、及び検査レベルの少なくとも１つを含み、前記画像形成装置は、前記検査条件を設定する検査条件設定手段を備え、前記検査条件変更手段は前記検査条件を前記記録媒体情報入力手段の設定及び前記検査条件設定手段の設定の少なくとも一方に応じて変更することを特徴とする請求項９乃至１１のいずれか１項に記載の画像形成装置。
【請求項１３】
前記画像形成装置は外部装置に接続され、前記記録媒体情報入力手段及び前記検査条件設定手段は前記外部装置から設定できることを特徴とする請求項１２記載の画像形成装置。
【請求項１４】
前記検査条件は、検査内容、検査対象、及び検査レベルの少なくとも１つを含み、前記検査条件設定手段は、前記記録媒体の種類情報に応じて、前記検査内容、前記検査対象、及び前記検査レベルの少なくとも１つを自動的に設定すること特徴とする請求項１２又は１３記載の画像形成装置。
【請求項１５】
前記記録媒体情報入力手段は、前記記録媒体の種類情報として前記記録媒体の紙種名称、坪量、及び表面特性の少なくとも１つを、ユーザの操作に応じて入力することを特徴とする請求項９乃至１４のいずれか１項に記載の画像形成装置。
【請求項１６】
前記記録媒体情報入力手段は、前記記録媒体の紙種名称、坪量、及び表面特性の少なくとも１つを検知して前記記録媒体の種類情報として設定することを特徴とする請求項９乃至１４のいずれか１項に記載の画像形成装置。
【請求項１７】
前記画像形成手段が前記記録媒体に前記画像データの画像を形成する前に前記記録媒体の状態の検査を行う記録媒体検査手段を備え、前記記録媒体検査手段は、前記記録媒体に形成された乱反射成分及び正反射成分の少なくとも１つを用いて前記記録媒体の状態の検査を行うことを特徴とする請求項９乃至１６のいずれか１項に記載の画像形成装置。
【請求項１８】
前記記録媒体検査手段は、前記画像データの画像を形成する前に行う前記記録媒体の状態の検査を、前記記録媒体の種類情報に応じて実行しないことを特徴とする請求項１７記載の画像形成装置。
【請求項１９】
前記検査条件は、検査内容及び検査対象の少なくとも１つを含み、前記記録媒体検査手段は、前記画像データの画像を形成する前に行う前記記録媒体の状態の検査において、前記検査内容の標準検査内容及び前記検査対象の少なくとも１つを自動的に設定することを特徴とする請求項１７又は１８記載の画像形成装置。
【請求項２０】
前記記録媒体には予め他の画像が形成されており、前記画像検査手段は、前記記録媒体に予め形成された他の画像の情報を予め検出し、該検出した前記記録媒体に予め形成された他の画像の情報と、前記検出手段に検出された画像の情報と、前記入力された画像データとに基づいて前記記録媒体に形成された画像を検査することを特徴とする請求項９乃至１９のいずれか１項に記載の画像形成装置。
【請求項２１】
画像情報に基づいて記録媒体に形成された画像の情報を検出する検出ステップと、
前記検出ステップにおいて検出された画像の情報と前記検出された画像の情報の元となる前記画像情報とに基づいて前記記録媒体に形成された画像を検査する画像検査ステップと、
該画像検査ステップにおける前記画像の検査の検査条件を前記記録媒体の種類情報に応じて変更する検査条件変更ステップとを備えることを特徴とする画像検査方法。
【請求項２２】
画像データを入力する画像データ入力ステップと、
記録媒体の種類情報を入力する記録媒体情報入力ステップと、
前記入力された画像データの画像を前記記録媒体に形成する画像形成ステップと、
前記記録媒体に形成された画像の情報を検出する検出ステップと、
前記検出ステップにおいて検出された画像の情報と前記入力された画像データとに基づいて前記記録媒体に形成された画像を検査する画像検査ステップとを備える画像形成方法であって、
該画像検査ステップにおける前記画像の検査の検査条件を前記入力された記録媒体の種類情報に応じて変更する検査条件変更ステップを備えることを特徴とする画像形成方法。
【手続補正２】
【補正対象書類名】明細書
【補正対象項目名】００１９
【補正方法】変更
【補正の内容】
【００１９】
請求項５記載の画像検査装置は、請求項４記載の画像検査装置において、前記画像検査装置は外部装置に接続され、前記記録媒体情報入力手段及び前記検査条件設定手段は前記外部装置から設定できることを特徴とする。
【手続補正３】
【補正対象書類名】明細書
【補正対象項目名】００２０
【補正方法】変更
【補正の内容】
【００２０】
請求項６記載の画像検査装置は、請求項４又は５記載の画像検査装置において、前記検査条件設定手段は、前記記録媒体の種類情報に応じて、前記検査内容、前記検査対象、及び前記検査レベルの少なくとも１つを自動的に設定することを特徴とする。
【手続補正４】
【補正対象書類名】明細書
【補正対象項目名】００２６
【補正方法】変更
【補正の内容】
【００２６】
請求項１２記載の画像形成装置は、請求項９乃至１１のいずれか１項に記載の画像形成装置において、前記画像形成装置は、前記検査条件を設定する検査条件設定手段を備え、前記検査条件変更手段は前記検査条件を前記記録媒体情報入力手段の設定及び前記検査条件設定手段の設定の少なくとも一方に応じて変更することを特徴とする。
【手続補正５】
【補正対象書類名】明細書
【補正対象項目名】００２７
【補正方法】変更
【補正の内容】
【００２７】
請求項１３記載の画像形成装置は、請求項１２記載の画像形成装置において、前記画像形成装置は外部装置に接続され、前記記録媒体情報入力手段及び前記検査条件設定手段は前記外部装置から設定できることを特徴とする。
【手続補正６】
【補正対象書類名】明細書
【補正対象項目名】００２８
【補正方法】変更
【補正の内容】
【００２８】
請求項１４記載の画像形成装置は、請求項１２又は１３記載の画像形成装置において、前記検査条件は、検査内容、検査対象、及び検査レベルの少なくとも１つを含み、前記検査条件設定手段は、前記記録媒体の種類情報に応じて、前記検査内容、前記検査対象、及び前記検査レベルの少なくとも１つを自動的に設定すること特徴とする。
【手続補正７】
【補正対象書類名】明細書
【補正対象項目名】００３１
【補正方法】変更
【補正の内容】
【００３１】
請求項１７記載の画像形成装置は、請求項９乃至１６のいずれか１項に記載の画像形成装置において、前記画像形成手段が前記記録媒体に前記画像データの画像を形成する前に前記記録媒体の状態の検査を行う記録媒体検査手段を備え、前記記録媒体検査手段は、前記記録媒体に形成された画像の乱反射成分及び正反射成分の少なくとも１つを用いて前記記録媒体の状態の検査を行うことを特徴とする。
【手続補正８】
【補正対象書類名】明細書
【補正対象項目名】００３３
【補正方法】変更
【補正の内容】
【００３３】
請求項１９記載の画像形成装置は、請求項１７又は１８記載の画像形成装置において、前記検査条件は、検査内容及び検査対象の少なくとも１つを含み、前記記録媒体検査手段は、前記画像データの画像を形成する前に行う前記記録媒体の状態の検査において、前記検査内容の標準検査内容及び前記検査対象の少なくとも１つを自動的に設定することを特徴とする。